(57)【要約】【課題】操作体の構造が簡単で、操作体のブラシ本体への組み付けも簡単になし得て、操作体の移動操作もスムーズになし得るようにする。【解決手段】収納筒体に、先端側にブラシ毛を有するブラシ本体が収納され、収納筒体の長手方向に長孔が設けられ、長孔の両端側に、前係止孔部と後係止孔部とが設けられた化粧用ブラシにおいて、  長孔の開口縁部に接当して操作体の外方突出方向への移動を規制する規制部が、操作体の係合部内方に設けられ、収納筒体の弾性変形により長孔が拡開することにより、操作体の規制部側を外部から長孔を通して収納筒体内に強制挿入可能にするべく、規制部から徐々に細くなったテーパー部が、操作体の規制部内方に設けられている。【選択図】図１
2007020613.tif 000002
【特許請求の範囲】
【請求項１】
収納筒体（２１）に、先端側にブラシ毛（２８）を有するブラシ本体（２７）が収納され、収納筒体（２１）の長手方向に長孔（２４）が設けられ、長孔（２４）の両端側に、前係止孔部（３１）と後係止孔部（３２）とが設けられ、ブラシ本体（２７）に、長孔（２４）に対応して収納凹部（３４）が設けられ、収納凹部（３４）に、操作体（３３）が長孔（２４）から外方突出する方向に移動自在に収納されると共に、操作体（３３）を長孔（２４）から外方突出する方向に付勢するバネ（３５）が収納され、長孔（２４）内をその長手方向に沿って移動可能となるように長孔（２４）に挿通される挿通部（３９）と、長孔（２４）内を移動不能となるように前係止孔部（３１）又は後係止孔部（３２）に係合する係合部（４０）とが、操作体（３３）に設けられ、挿通部（３９）を長孔（２４）に挿通させた状態で操作体（３３）を長孔（２４）に沿って移動操作することにより、ブラシ毛（２８）が収納筒体（２１）内に収まる収納位置Ａとブラシ毛（２８）が収納筒体（２１）の先端から突出する使用位置Ｂとに、ブラシ本体（２７）が移動し、ブラシ本体（２７）が使用位置Ｂに移動したとき、前記バネ（３５）の付勢により、係合部（４０）が前係止孔部（３１）に係合してブラシ本体（２７）を収納筒体（２１）に対して移動不能に係止すると共に、ブラシ本体（２７）が収納位置Ａに移動したとき、前記バネ（３５）の付勢により、係合部（４０）が後係止孔部（３２）に係合してブラシ本体（２７）を収納筒体（２１）に対して移動不能に係止するようにした化粧用ブラシにおいて、
長孔（２４）の開口縁部に接当して操作体（３３）の外方突出方向への移動を規制する規制部（４１）が、操作体（３３）の係合部（４０）内方に設けられ、収納筒体（２１）の弾性変形により長孔（２４）が拡開することにより、操作体（３３）の規制部（４１）側を外部から長孔（２４）を通して収納筒体（２１）内に強制挿入可能にするべく、規制部（４１）から徐々に細くなったテーパー部（４２）が、操作体（３３）の規制部（４１）内方に設けられていることを特徴とする化粧用ブラシ。
【請求項２】
前記長孔（２４）の長手方向中途部に、係合部（４０）を係合する中間係止孔部（３０）が設けられ、前記操作体（３３）の規制部（４１）側が、長孔（２４）の中間係止孔部（３０）を通して収納筒体（２１）内に強制挿入可能とされていることを特徴とする請求項１に記載の化粧用ブラシ。
【請求項３】
前記規制部（４１）は、バネ（３５）の付勢により前記長孔（２４）、前係止孔部（３１）、後係止孔部（３２）及び中間係止孔部３０から外方突出しないように、長孔（２４）、前係止孔部（３１）、後係止孔部（３２）及び中間係止孔部（３０）の幅よりも大に形成されていることを特徴とする請求項２に記載の化粧用ブラシ。
【請求項４】
操作体（３３）に、収納筒体（２１）の長手方向に突出した回り止め突部（４５）が設けられ、ブラシ本体（２９）に、回り止め突部（４５）を嵌合する嵌合凹部（４６）が前記収納凹部（３４）に連通するように設けられていることを特徴とする請求項１に記載の化粧用ブラシ。
【請求項５】
操作体（３３）の外方突出端部であって前記挿通部（３９）の外方突出側に、操作頭部（３７）が設けられ、操作頭部（３７）は、長孔（２４）、前係止孔部（３１）、後係止孔部（３２）及び中間係止孔部（３０）に対して外部から挿通不能とされていることを特徴とする請求項１に記載の化粧用ブラシ。
【請求項６】
前記操作体（３３）の規制部（４１）の外方突出側に、係合部（４０）が配置され、係合部（４０）の外方突出側に挿通部（３９）が配置され、規制部（４１）と係合部（４０）と挿通部（３９）との幅が、外方突出方向に向けて順次階段状に細くなるように形成されていることを特徴とする請求項１に記載の化粧用ブラシ。
【請求項７】
前記ブラシ本体（２７）は、ブラシ毛（２８）を束状に保持するブラシ保持具（２９）を有し、ブラシ保持具（２９）に、前記収納凹部（３４）が外方突出方向に形成されていることを特徴とする請求項１に記載の化粧用ブラシ。
【発明の詳細な説明】
【技術分野】
【０００１】
本発明は、パウダーブラシ等の化粧用ブラシに関するものである。
【背景技術】
【０００２】
従来のパウダーブラシ等の化粧用ブラシには、図９〜図１２に示すように、収納筒体１に、先端側にブラシ毛２を有するブラシ本体３を収納し、収納筒体１の長手方向に長孔４を設け、長孔４の両端側に、前係止孔部５と後係止孔部６とを設けている。ブラシ本体３は、先端側のブラシ毛２を束状に保持するブラシ保持具７を有し、ブラシ保持具７に一対の摺動脚部８が基端側に突出され、一方の摺動脚部８に操作体９が突設され、この摺動脚部８は、図１１に示すように内方に弾性変形可能に構成されている。操作体９は、ブラシ本体３に長孔４から収納筒体１の外方に突出した操作頭部１０と、長孔４内をその長手方向に沿って移動可能となるように長孔４に挿通される挿通部１２と、長孔４内を移動不能となるように前係止孔部５又は後係止孔部６に係合する係合部１３とを有している。
【０００３】
そして、操作体９を突設した一方の摺動脚部８を弾性変形可能に構成することにより、該一方の摺動脚部８によって操作体９を外方突出方向に付勢する付勢手段を構成し、操作体９の挿通部１２を長孔４に挿通させた状態で操作体９を長孔４に沿って移動操作することにより、ブラシ毛２が収納筒体１内に収まる収納位置とブラシ毛２が収納筒体１の先端から突出する使用位置とに、ブラシ本体３が移動するように構成し、ブラシ本体２７が使用位置に移動したとき、前記付勢手段の付勢により、係合部１３が前係止孔部５に係合してブラシ本体３を収納筒体１に対して移動不能に係止すると共に、ブラシ本体３が収納位置に移動したとき、前記付勢手段の付勢により、係合部１３が後係止孔部６に係合してブラシ本体３を収納筒体１に対して移動不能に係止するようにしたものがある（例えば、特許文献１）。
【０００４】
また、他のパウダーブラシ等の化粧用ブラシには、図１３及び図１４に示すように、ブラシ本体３に、長孔４に対応して収納凹部１４を設け、この収納凹部１４に、操作体９を長孔４から外方突出する方向に移動自在に収納すると共に、操作体９を長孔４から外方突出する方向に付勢するバネ１５を収納し、ブラシ本体３が使用位置に移動したとき、前記バネ１５の付勢により、係合部１３が前係止孔部５に係合してブラシ本体３を収納筒体１に対して移動不能に係止すると共に、ブラシ本体３が収納位置に移動したとき、バネ１５の付勢により、係合部１３が後係止孔部６に係合してブラシ本体３を収納筒体１に対して移動不能に係止するようにしたものがあり、この種の従来のパウダーブラシ等の化粧用ブラシでは、図１３及び図１４に示すように、操作体９は、操作部材１６とブロック状の支持部材１７とを有し、操作部材１６は操作頭部１０と挿通部１２と一対の取付脚部１８とを有している。支持部材１７に、上端開放状の取付溝１９を設けると共に、取付溝１９を挟んで半割円柱状の一対の凸状部２０を設け、一対の凸状部２０を係合部１３としている。支持部材１７を収納凹部１４に摺動自在に嵌合し、外部から操作部材１６の取付脚部１８側を長孔４を通して収納筒体１に挿通して、操作部材１６の一対の取付脚部１８を、支持部材１７の取付溝１９に挿入し、取付脚部１８先端の係合爪１８ａを、支持部材１７の取付溝１９の開口縁部に係合して抜け止めすることにより、操作部材１６を支持部材１７に装着している（例えば、特許文献２）。
【特許文献１】実開平４−２８８１３号公報
【特許文献２】特開２００１−１１２５３７号公報
【発明の開示】
【発明が解決しようとする課題】
【０００５】
しかし、前者（図９〜図１２）の従来の場合、操作頭部１０が係止孔部５，６よりも小であるため、操作体９を長孔４に沿って移動操作する際に、操作頭部１０が前係止孔部５又は後係止孔部６から収納筒体１内に入ることがあり、操作体９の操作に支障を生じることがあった。また、操作頭部１０が小さいため、操作体９の移動操作がしにくかった。また、収納筒体１に、ブラシ本体３を収納する際に、ブラシ本体３の摺動脚部８がＡ部分から折れ、摺動脚部８の弾性力が小さく又は弾性力がなくなり、このために係合部の１３の係止孔部５，６への係合が確実になされず、ブラシ本体３を収納筒体１に対して使用位置や収納位置で移動不能に係止できなくなるおそれがあった。
【０００６】
また、後者（図１３及び図１４）の従来の場合、操作体９に、操作部材１６の他に支持部材１７が必要で、操作体９の構造が複雑であり、操作体９の操作部材１６をブラシ本体３に組み付ける場合、外部から操作部材１６の取付脚部１８側を長孔４を通して収納筒体１に挿通した後、操作部材１６の一対の取付脚部１８を、支持部材１７の取付溝１９に挿入し、取付脚部１８先端の係合爪１８ａを、支持部材１７の取付溝１９の開口縁部に係合して抜け止めしなければならず、操作体９の操作部材１６のブラシ本体３への組み付け作業も非常に面倒であった。
【０００７】
本発明は上記問題点に鑑み、操作体の構造が簡単で、操作体のブラシ本体への組み付けも簡単になし得て、操作体の移動操作もスムーズになし得るしたものである。
【課題を解決するための手段】
【０００８】
この技術的課題を解決するための本発明の技術的手段は、収納筒体に、先端側にブラシ毛を有するブラシ本体が収納され、収納筒体の長手方向に長孔が設けられ、長孔の両端側に、前係止孔部と後係止孔部とが設けられ、ブラシ本体に、長孔に対応して収納凹部が設けられ、収納凹部に、操作体が長孔から外方突出する方向に移動自在に収納されると共に、操作体を長孔から外方突出する方向に付勢するバネが収納され、長孔内をその長手方向に沿って移動可能となるように長孔に挿通される挿通部と、長孔内を移動不能となるように前係止孔部又は後係止孔部に係合する係合部とが、操作体に設けられ、挿通部を長孔に挿通させた状態で操作体を長孔に沿って移動操作することにより、ブラシ毛が収納筒体内に収まる収納位置Ａとブラシ毛が収納筒体の先端から突出する使用位置Ｂとに、ブラシ本体が移動し、ブラシ本体が使用位置Ｂに移動したとき、前記バネの付勢により、係合部が前係止孔部に係合してブラシ本体を収納筒体に対して移動不能に係止すると共に、ブラシ本体が収納位置Ａに移動したとき、前記バネの付勢により、係合部が後係止孔部に係合してブラシ本体を収納筒体に対して移動不能に係止するようにした化粧用ブラシにおいて、
長孔の開口縁部に接当して操作体の外方突出方向への移動を規制する規制部が、操作体の係合部内方に設けられ、収納筒体の弾性変形により長孔が拡開することにより、操作体の規制部側を外部から長孔を通して収納筒体内に強制挿入可能にするべく、規制部から徐々に細くなったテーパー部が、操作体の規制部内方に設けられている点にある。
【０００９】
また、本発明の他の技術的手段は、前記長孔の長手方向中途部に、係合部を係合する中間係止孔部が設けられ、前記操作体の規制部側が、長孔の中間係止孔部を通して収納筒体内に強制挿入可能とされている点にある。
また、本発明の他の技術的手段は、前記規制部は、バネの付勢により前記長孔、前係止孔部、後係止孔部及び中間係止孔部から外方突出しないように、長孔、前係止孔部、後係止孔部及び中間係止孔部の幅よりも大に形成されている点にある。
また、本発明の他の技術的手段は、操作体に、収納筒体の長手方向に突出した回り止め突部が設けられ、ブラシ本体に、回り止め突部を嵌合する嵌合凹部が前記収納凹部に連通するように設けられている点にある。
【００１０】
また、本発明の他の技術的手段は、操作体の外方突出端部であって前記挿通部の外方突出側に、操作頭部が設けられ、操作頭部は、長孔、前係止孔部、後係止孔部及び中間係止孔部に対して外部から挿通不能とされている点にある。
また、本発明の他の技術的手段は、前記操作体の規制部の外方突出側に、係合部が配置され、係合部の外方突出側に挿通部が配置され、規制部と係合部と挿通部との幅が、外方突出方向に向けて順次階段状に細くなるように形成されている点にある。
また、本発明の他の技術的手段は、前記ブラシ本体は、ブラシ毛を束状に保持するブラシ保持具を有し、ブラシ保持具に、前記収納凹部が外方突出方向に形成されている点にある。
【発明の効果】
【００１１】
本発明によれば、操作体の構造が簡単で、操作体のブラシ本体への組み付けも簡単になし得る。また、操作体の移動操作もスムーズになし得る。
【発明を実施するための最良の形態】
【００１２】
以下、本発明の実施の形態を図面に基いて説明する。
図１〜図８は化粧用ブラシの一例として顔に白粉を付けるためのパウダーブラシを示している。同図において、２１は収納筒体で、弾性を有するアルミ、ステンレス等の金属又は弾性を有する合成樹脂により構成され、長方形の筒状に形成された胴部２２と、基端に設けられた閉塞壁２５とを有し、収納筒体２１の先端に先端開口部２３が設けられ、基端は閉塞されている。収納筒体２１の胴部２２に長孔２４が長手方向に形成されている。長孔２４の両端側に、前係止孔部３１と後係止孔部３２とが設けられ、長孔２４の長手方向中途部に、中間係止孔部３０が設けられている。
【００１３】
２７はブラシ本体で、先端側に束ねられた多数のブラシ毛２８を有すると共に、該先端側のブラシ毛２８を束状に保持するブラシ保持具２９を有している。ブラシ本体２７はブラシ毛２８が先端開口部２３から出退するように収納筒体２１内に長手方向移動自在に収納されている。
ブラシ本体２７に、操作体３３が長孔２４から外方突出するように設けられ、ブラシ本体２７のブラシ保持具２９基端部に、操作体３３の外方突出方向に収納凹部３４が設けられている。収納凹部３４に操作体３３を外方突出する方向に付勢するコイルバネ３５が収納されている。
【００１４】
操作体３３は、操作頭部３７と挿通部３９と係合部４０と規制部４１とテーパー部４２とバネ嵌合部４３とを有している。
操作体３３の規制部４１より外方突出側に、係合部４０が配置され、係合部４０の外方突出側に挿通部３９が配置され、規制部４１と係合部４０と挿通部３９との幅（収納筒体２１の長手方向に直交する方向（幅方向）の大きさ）が、外方突出方向に向けて順次階段状に細くなるように形成されている。
挿通部３９は、長孔２４の幅よりも小幅に形成され、長孔２４内をその長手方向に沿って移動可能となるように長孔２４に挿通される。係合部４０は、長孔２４の幅よりも大幅に形成されており、長孔２４内を移動不能となるように前係止孔部３１、後係止孔部３２又は中間係止孔部３０に係合する。操作頭部３７は、操作体３３の外方突出端部であって挿通部３９の外方突出側に設けられ、操作頭部３７は、長孔２４、前係止孔部３１、後係止孔部３２及び中間係止孔部３０に対して外部から挿通不能とされている。
【００１５】
規制部４１は、長孔２４の幅及び係止孔部３１，３２，３０の幅（孔径）よりも大に形成されて、操作体３３の係合部４０内方（係合部４０の外方突出方向とは反対側）に設けられ、長孔２４の開口縁部に内側から接当して操作体３３の外方突出方向への移動を規制する。テーパー部４２は、操作体３３の規制部４１内方に設けられ、規制部４１から徐々に細くなっていて、規制部４１の先端部（内端部）は中間係止孔部３０の孔径よりも細くなっており、操作体３３の規制部４１側を外部から長孔２４を通して収納筒体２１内に強制挿入することにより、収納筒体２１の弾性変形により長孔２４を拡開させて、操作体３３の規制部４１側を外部から長孔２４を通して収納筒体２１内に強制挿入可能になるように構成されている。
【００１６】
操作体３３の規制部４１に、収納筒体２１の長手方向に突出した回り止め突部４５が前後一対設けられ、ブラシ本体２７のブラシ保持具２９に、一対の回り止め突部４５をそれぞれ嵌合する一対の嵌合凹部４６が、収納凹部３４に連通するように設けられている。
挿通部３９を長孔２４に挿通させた状態で、操作体３３を長孔２４に沿って該長孔２４の基端側に移動操作することにより、図７に示す如くブラシ毛２８が収納筒体２１内に収まる収納位置Ａに、ブラシ本体２７が移動すると共に、操作体３３を長孔２４に沿って該長孔２４の先端側に移動操作することにより、図２及び図３に示す如くブラシ毛２８が収納筒体２１の先端から大きく突出する使用位置Ｂに、ブラシ本体２７が移動するように構成されている。また、操作体３３を長孔２４に沿って該長孔２４の中途部に移動操作することにより、図６に示す如くブラシ毛２８が収納筒体２１の先端から小さく突出する第２使用位置Ｃに、ブラシ本体２７が移動するように構成されている。
【００１７】
また、ブラシ本体２７が使用位置Ｂに移動したとき、前記バネ３５の付勢により、係合部４０が前係止孔部３１に係合してブラシ本体２７を収納筒体２１に対して移動不能に係止すると共に、ブラシ本体２７が収納位置Ａに移動したとき、前記バネ３５の付勢により、係合部４０が後係止孔部３２に係合してブラシ本体２７を収納筒体２１に対して移動不能に係止するようになっている。また、ブラシ本体２７が第２使用位置Ｃに移動したとき、前記バネ３５の付勢により、係合部４０が中間係止孔部３０に係合してブラシ本体２７を収納筒体２１に対して移動不能に係止するようになっている。
【００１８】
上記実施の形態によれば、収納筒体２１にブラシ本体２７及び操作体３３を組み付ける場合、ブラシ本体２７の収納凹部３４の開口側を収納筒体２１の長孔２４に対応させて、収納筒体２１の先端開口部２３からブラシ本体２７を挿入して、収納筒体２１に対してブラシ本体２７を長手方向に移動調整して、長孔２４の中間係止孔部３０にブラシ本体２７の収納凹部３４を一致させ、この状態で、外部から中間係止孔部３０を通してコイルバネ３５を挿入し、その後、一対の回り止め突部４５を一対の嵌合凹部４６に一致させながら、操作体３３を、そのバネ嵌合部４３側から、中間係止孔部３０を通して収納凹部３４内に強制挿入すればよい。この場合、規制部４１の径は中間係止孔部３０の径よりも大であるが、規制部４１の内方にテーパー部４２があるため、テーパー部４２が中間係止孔部３０を外側から内側に挿通する際に、図８に鎖線で示すように収納筒体２１を弾性変形させて、長孔２４乃至中間係止孔部３０を拡開させて、操作体３３の規制部４１側を外部から長孔２４を通して収納筒体２１内に簡単かつスムーズに強制挿入することができて、収納筒体２１に対してブラシ本体２７及び操作体３３を極めて簡単に組み付けることができる。操作体３３の規制部４１側を収納筒体２１内に挿入した後は、バネ３５により、操作体３３が外方突出方向に付勢されても、規制部４１が長孔２４乃至中間係止孔部３０の開口縁部に内側から接当して操作体３３の外方突出方向への移動を規制し、操作体３３は、長孔２４から外部に不測に飛び出るおそれもなくなる。また、一対の回り止め突部４５が一対の嵌合凹部４６にそれぞれ嵌合し、これにより操作体３３が収納筒体２１に対して不測に回動しないように回り止めされる。
【００１９】
そして、操作体３３は、操作頭部３７と挿通部３９と係合部４０と規制部４１とテーパー部４２とバネ嵌合部４３とを有する単純な構造であるので、製造容易でかつ安価に製造することができ、また、操作頭部３７を長孔２４に通す必要がないため、操作頭部３７を長孔２４及び係止孔部３１，３２，３０よりも大きく形成することが可能になり、この点から、操作頭部３７による操作体３３の移動操作に簡単でかつスムーズになし得るようになる。
化粧用ブラシを使用する場合、図７に示すようにブラシ本体２７が収納位置Ａにある状態から、操作体３３の操作頭部３７をバネ３５に抗して押圧することにより、係合部４０を後係止孔部３２から収納筒体１内に没入させて、長孔２４に挿通部３９を挿通した状態にする。その後、操作体３３を長孔２４に沿って該長孔２４の先端側に移動操作すればよく、これによりブラシ本体２７が収納筒体２１に対して先端側に移動し、図２及び図３に示すようにブラシ本体２７が使用位置Ｂに移動し、又は図６に示すようにブラシ本体２７が第２使用位置Ｃに移動し、ブラシ毛２８が収納筒体２１の先端開口部２３から突出した使用状態になる。このとき、操作頭部３７の押圧を解除すれば、バネ３５の付勢により、操作体３３が突出方向外方に押圧され、挿通部３９が長孔２４から外方に突出すると共に、係合部４０が前係止孔部３１又は中間係止孔部３０に係合してブラシ本体２７を収納筒体２１に対して移動不能に係止する。これにより、ブラシ本体２７が収納筒体２１に対して使用位置Ｂ又は第２使用位置Ｃに位置決め固定される。
【００２０】
化粧用ブラシを使用した後にブラシ本体２７を収納筒体２１に収納する場合、図２及び図３に示すようにブラシ本体２７が使用位置Ｂにある状態又は図６に示すようにブラシ本体２７が第２使用位置Ｃにある状態から、操作体３３の操作頭部３７をバネ３５に抗して押圧することにより、係合部４０を前係止孔部３１から収納筒体２１内に没入させて、長孔２４に挿通部３９を挿通した状態にする。その後、操作体３３の操作頭部３７を長孔２４に沿って該長孔２４の基端側に移動操作すればよく、これによりブラシ本体２７が収納筒体２１に対して基端側に移動して、ブラシ本体２７が収納位置Ａに移動し、ブラシ毛２８が収納筒体２１内に収まる。また、ブラシ本体２７が収納位置Ａに移動したとき、操作頭部３７の押圧を解除すれば、バネ３５の付勢により、操作体３３が突出方向外方に押圧され、挿通部３９が長孔２４から外方に突出すると共に、係合部４０が後係止孔部３２に係合してブラシ本体２７を収納筒体２１に対して移動不能に係止する。これにより、ブラシ本体２７が収納筒体２１に対して収納位置Ａに位置決め固定される。
【００２１】
なお、前記実施の形態では、長孔２４の長手方向中途部に、係合部４０を係合する中間係止孔部３０が設けられ、操作体３３の規制部４１側を、長孔２４の中間係止孔部３０を通して収納筒体２１内に強制挿入するようにしているが、これに代え、長孔２４の長手方向中途部に中間係止孔部３０を設けなくてもよく、この場合、操作体３３の規制部４１側を、長孔２４の前係止孔部３１又は後係止孔部３２を通して収納筒体２１内に強制挿入するようにしてもよい。また、操作体３３の規制部４１側を、中間係止孔部３０が設けられていない長孔２４の長手方向中途部を通して、収納筒体２１内に強制挿入するようにしてもよい。
【図面の簡単な説明】
【００２２】
【図１】本発明の一実施形態を示す平面断面図である。
【図２】同平面図である。
【図３】同側面断面図である。
【図４】同図１のＡ−Ａ線断面図である。
【図５】同図１のＢ−Ｂ線断面図である。
【図６】同ブラシ本体を第２使用位置にセットした状態の平面図である。
【図７】同ブラシ本体を収納位置にセットした状態の平面図である。
【図８】同収納筒体の拡大平面図である。
【図９】従来例を示す使用状態の側面断面図である。
【図１０】同使用状態の平面図である。
【図１１】同ブラシ本体を収納位置から使用位置に移動する途中の側面断面図である。
【図１２】同使用状態の側面断面図である。
【図１３】他の従来例を示す使用状態の側面断面図である。
【図１４】同操作体の分解斜視図である。
【符号の説明】
【００２３】
２１      収納筒体
２４      長孔
２７      ブラシ本体
２８      ブラシ毛
３０      中間係止孔部
３１      前係止孔部
３２      後係止孔部
３３      操作体
３４      収納凹部
３５      コイルバネ
３７      操作頭部
３９      挿通部
４０      係合部
４１      規制部
４２      テーパー部
４５      回り止め部
４５      嵌合凹部
【図１】
2007020613.tif 000003
【図２】
2007020613.tif 000004
【図３】
2007020613.tif 000005
【図４】
2007020613.tif 000006
【図５】
2007020613.tif 000007
【図６】
2007020613.tif 000008
【図７】
2007020613.tif 000009
【図８】
2007020613.tif 000010
【図９】
2007020613.tif 000011
【図１０】
2007020613.tif 000012
【図１１】
2007020613.tif 000013
【図１２】
2007020613.tif 000014
【図１３】
2007020613.tif 000015
【図１４】
2007020613.tif 000016